(57)【要約】【課題】カバーの接地を行いつつ、カード用コネクタの幅方向の小型化を図ること。【解決手段】カードと接続されるコンタクト２０４ｂが設けられるハウジング２と、ハウジング２に回動可能に取り付けられるカバー３とを備えるカード用コネクタ１であって、ハウジング２は、カードが有する凹部に対応する位置に設けられ、その表面にカバー３と対向接触する接地片２０６ａ、ｂが設けられた凸壁２０５ａ、ｂを有し、カバー３は、接地片２０６ａ、ｂと接触する弾性接触片３０７ａ、ｂを有し、カバー３が回動して所定位置に移動した場合に、弾性接触片３０７ａ、ｂと接地片２０６ａ、ｂとが接触すると共に、コンタクト２０４ｂと接続するようにカードを押圧することを特徴とする。【選択図】図１
2009087678.tif 000002
【特許請求の範囲】
【請求項１】
カードと接続されるコンタクトが設けられるハウジングと、前記ハウジングに回動可能に取り付けられるカバーとを備えるカード用コネクタであって、
前記ハウジングは、前記カードが有する凹部に対応する位置に設けられ、その表面に前記カバーと対向接触する接地片が設けられた凸壁を有し、
前記カバーは、前記接地片と接触する接触部を有し、
前記カバーが回動して所定位置に移動した場合に、前記接触部と前記接地片とが接触すると共に、前記コンタクトと接続するように前記カードを押圧することを特徴とするカード用コネクタ。
【請求項２】
前記接地片は、前記コンタクトと同じ金属板で形成され、前記コンタクトと共にモールド成形時に前記ハウジングに設けられることを特徴とする請求項１記載のカード用コネクタ。
【請求項３】
前記カバーは、前記所定の位置に移動した場合に、前記ハウジングに設けられた保持片と係合して前記ハウジングに保持されることを特徴とする請求項１又は請求項２記載のカード用コネクタ。
【請求項４】
前記凸壁は、前記カードの凹部が形成される側壁部が有する厚さよりも厚み寸法が大きいことを特徴とする請求項１から請求項３のいずれかに記載のカード用コネクタ。
【請求項５】
前記カバーは、スライド移動可能に前記ハウジングに取り付けられ、回動すると共にスライド移動して前記ハウジングの所定の位置に移動することを特徴とする請求項３記載のカード用コネクタ。
【発明の詳細な説明】
【技術分野】
【０００１】
本発明は、カード用コネクタに関し、特に、携帯電話機等の電子機器においてチップカードやＩＣメモリカード等のカードを基板に電気的に接続するためのカード用コネクタに関する。
【背景技術】
【０００２】
従来、カードを収容可能な上面開放のハウジングと、このハウジングに開閉可能に設けられたカバーとを備えるカード用コネクタが知られている（例えば、特許文献１参照）。このカード用コネクタにおいては、ハウジングの側壁にカバーを接地するための接地部材を配置し、カバーが閉じられた場合に当該カバーが接地されるように構成されている。
【特許文献１】登録実用新案第３１２８６８６号公報
【発明の開示】
【発明が解決しようとする課題】
【０００３】
しかしながら、上述したような従来のカード用コネクタにおいては、ハウジングの側壁におけるカバーと対向する表面に接地部材を配置していることから、側壁の幅を薄くすることが困難であり、カード用コネクタの幅方向の小型化を図ることができないという問題がある。
【０００４】
本発明はかかる問題点に鑑みて為されたものであり、カバーの接地を行いつつ、カード用コネクタの幅方向の小型化を図ることができるカード用コネクタを提供することを目的とする。
【課題を解決するための手段】
【０００５】
本発明のカード用コネクタは、カードと接続されるコンタクトが設けられるハウジングと、前記ハウジングに回動可能に取り付けられるカバーとを備えるカード用コネクタであって、前記ハウジングは、前記カードが有する凹部に対応する位置に設けられ、その表面に前記カバーと対向接触する接地片が設けられた凸壁を有し、前記カバーは、前記接地片と接触する接触部を有し、前記カバーが回動して所定位置に移動した場合に、前記接触部と前記接地片とが接触すると共に、前記コンタクトと接続するように前記カードを押圧することを特徴とする。
【０００６】
上記カード用コネクタによれば、接地片を、カードが有する凹部に対応する位置に設けられた凸壁に設けたことから、ハウジングの側壁の厚みを軽減することができるので、カバーの接地を行いつつ、カード用コネクタの幅方向の小型化を図ることが可能となる。
【０００７】
上記カード用コネクタにおいて、前記接地片は、前記コンタクトと同じ金属板で形成され、前記コンタクトと共にモールド成形時に前記ハウジングに設けられることが好ましい。この場合には、接地片及びコンタクトを同一工程でハウジングに設けることができるので、これらを備えるハウジングを簡単に製造することが可能となる。
【０００８】
また、上記カード用コネクタにおいては、前記カバーは、前記所定の位置に移動した場合に、前記ハウジングに設けられた保持片と係合して前記ハウジングに保持されることが好ましい。この場合には、カバーを所定位置に移動させるだけで当該カバーをロックすることができるので、カバーをロックするための特別な構成を必要とすることなく、保持片だけで簡単にロックすることが可能となる。
【０００９】
さらに、上記カード用コネクタにおいては、前記凸壁は、前記カードの凹部が形成される側壁部が有する厚さよりも厚み寸法が大きいことが好ましい。この場合には、凸壁をカードの側壁部の上面よりも突出させることができるので、カバーの接触部を接地片と接触し易くすることが可能となる。
【００１０】
さらに、上記カード用コネクタにおいては、前記カバーは、スライド移動可能に前記ハウジングに取り付けられ、回動すると共にスライド移動して前記ハウジングの所定の位置に移動することが好ましい。この場合には、スライド移動可能な構成とすることで、不用意にカバーとハウジングとの保持が解除されることを防止することが可能となる。
【発明の効果】
【００１１】
本発明によれば、接地片を、カードが有する凹部に対応する位置に設けられた凸壁に設けたことから、ハウジングの側壁の厚みを軽減することができるので、カバーの接地を行いつつ、カード用コネクタの幅方向の小型化を図ることが可能となる。
【発明を実施するための最良の形態】
【００１２】
以下、本発明の一実施の形態について添付図面を参照して詳細に説明する。図１は、本発明の一実施の形態に係るカード用コネクタ（以下、単に「コネクタ」という）１の構成を説明するための斜視図である。図２は、図１に示す状態のコネクタ１の上面図である。なお、図１及び図２においては、コネクタ１が有するカバーが開かれた状態について示している。また、以下においては、適宜、コネクタ１における図１に示す紙面左方側を「コネクタ１の前方側」又は単に「前方側」と呼び、同図に示す紙面右方側を「コネクタ１の後方側」又は単に「後方側」と呼ぶものとする。
【００１３】
図１及び図２に示すように、本実施の形態に係るコネクタ１は、合成樹脂材料などの絶縁材料を成形して形成されるハウジング２と、金属薄板材料に打ち抜き加工及び折り曲げ加工などを施して形成されるカバー３とを備えている。ハウジング２は、概して偏平な直方体形状を有しており、その上方側及び前方側に開口した空間を有している。カバー３は、ハウジング２の上方側の開口部の一部に対応する形状を有している。また、その一端部（コネクタ１の後方側端部）でハウジング２に取り付けられ、ハウジング２に対して回動可能に構成されている。このようにカバー３を回動させることで、ハウジング２内の空間が開放可能に構成される。
【００１４】
ハウジング２は、コネクタ１の底面部を構成するベース部２０１と、コネクタ１の側端部において、このベース部２０１から上方側に垂直に立設された側壁部２０２ａ、ｂとを有している。ベース部２０１には、コネクタ１の前後に２つの開口部２０３ａ、ｂが形成されている。これらの開口部２０３ａ、ｂに対応する位置に、コネクタ１に収容されるカードの接触部に接触する複数のコンタクト２０４ａ、ｂがコネクタ１の左右方向に並べて設けられている。
【００１５】
これらのコンタクト２０４ａ、ｂは、細長い薄板金属で形成されている。コンタクト２０４ａの前方側端部は、僅かに下方側に折り曲げられ、不図示の基板の導体に半田接続可能に構成されている。一方、コンタクト２０４ｂの後方側端部は、上方側に持ち上げられ、その端部近傍がカードの接触部に弾性的に接触するように構成されている。
【００１６】
また、ベース部２０１には、開口部２０３ａの側方側であって、側壁部２０２ａ、ｂの内側に上方側に突出する凸壁２０５ａ、ｂが設けられている。凸壁２０５ａ、ｂは、それぞれ側壁部２０２ａ、ｂの内壁面と連設されている。なお、凸壁２０５ａ、ｂは、後述するように、カードに形成された凹部に対応する位置に設けられ、カードが収容された場合にこの凹部を介して上方側に僅かに突出する高さを有している。凸壁２０５ａ、ｂの上面には、薄板金属で構成される接地片２０６ａ、ｂが設けられている。さらに、側壁部２０２ｂの内側であって、凸壁２０５ｂよりも後方側の位置には、側壁部２０２ｂと同一の高さで内側に突出する突出壁２０７が設けられている。突出壁２０７は、カードに形成された凹部に対応する位置に設けられている。なお、これらの凸壁２０５ａ、ｂ及び突出壁２０７は、ハウジング２にカードを収容し易いようにその端部が面取りされている。
【００１７】
側壁部２０２ａ、ｂには、その中央部より僅かに前方側の位置に切り欠き部２０８ａ、ｂが形成されている。これらの切り欠き部２０８ａ、ｂの前方側であって、側壁部２０２ａ、ｂの外面には、凹部２０９ａ、ｂが設けられている（図１において、凹部２０９ａは不図示）。これらの切り欠き部２０８ａ、ｂ、並びに、凹部２０９ａ、ｂは、詳細について後述するように、カバー３をスライド動作させる前後の状態でカバー３の係合片３０８ａ、ｂを収容し、或いは、当該係合片３０８ａ、ｂと係合するものである。なお、切り欠き部２０８ａ、ｂにおける凹部２０９ａ、ｂ寄りの外面には、カバー３の係合片３０８ａ、ｂを凹部２０９ａ、ｂに案内し易いように傾斜面が形成されている。
【００１８】
また、凹部２０９ａ、ｂの前方側であって、側壁部２０２ａ、ｂの外面には、側方側に突出する保持片２１０ａ、ｂが設けられている（図１において、凹部２１０ａは不図示）。これらの保持片２１０ａ、ｂは、詳細について後述するように、カバー３のロック片３０４ａ、ｂと係合し、カバー３をロック状態とするものである。これらの保持片２１０ａ、ｂは、例えば、薄板金属で形成されるが、これに限定されるものではなく、ハウジング２を構成する合成樹脂材料で形成しても良い。
【００１９】
さらに、側壁部２０２ａ、ｂの後方側の端部近傍であって、側壁部２０２ａ、ｂの外面には、後述するカバー３の回動軸３１０ａ、ｂを回動可能に収容する凹部２１１ａ、ｂが設けられている（図１において、凹部２１１ａは不図示）。凹部２１１ａ、ｂは、コネクタ１の前後方向に僅かに長い形状を有している。このため、カバー３の回動軸３１０ａ、ｂは、この凹部２１１ａ、ｂの範囲内でコネクタ１の前後方向に僅かにスライド可能に構成されている。
【００２０】
なお、このような構成を有するコネクタ１においては、コンタクト２０４ａ、ｂ、接地片２０６ａ、ｂ、並びに、保持片２１０ａ、ｂを同一の薄板金属で形成することが好ましい。このようにコンタクト２０４ａ、ｂ、接地片２０６ａ、ｂ、並びに、保持片２１０ａ、ｂを同一の薄板金属で形成する場合には、薄板金属材料の材料歩留りを向上してコストを低減することが可能となる。特に、ハウジング２をモールド成形する際にコンタクト２０４ａ、ｂ、接地片２０６ａ、ｂ、並びに、保持片２１０ａ、ｂをインサート成形することが好ましい。このようにコンタクト２０４ａ、ｂ、接地片２０６ａ、ｂ、並びに、保持片２１０ａ、ｂをインサート成形することにより、複数の薄板金属部材が設けられるハウジング２を簡単に製造することが可能となる。
【００２１】
カバー３は、概して矩形板状の天板３０１と、この天板３０１の左右側縁から垂下し側壁部２０２ａ、ｂと対向配置される左右側板３０２ａ、ｂと、これらの左右側板３０２ａ、ｂの後方側端部（図１に示す下方側端部）から連続して後方側に向かって延在する左右アーム部３０３ａ、ｂとを有している。天板３０１には、その前方側の左右側縁から垂下するロック片３０４ａ、ｂが設けられている。ロック片３０４ａ、ｂは、天板３０１から一定長さ離れた位置で前方側に屈曲した形状を有している。そして、その先端部において、ハウジング２の保持片２１０ａ、ｂと係合する係合片３０５ａ、ｂが形成されている。
【００２２】
また、天板３０１の中央近傍であって、側方側の位置には、切り欠き部３０６ａ、ｂが形成されている。この切り欠き部３０６ａ、ｂの後方側の端面の中央部から前方側に向かって接触部としての弾性接触片３０７ａ、ｂが形成されている（図１において、弾性接触片３０７ｂは不図示）。これらの弾性接触片３０７ａ、ｂは、前方側端部がハウジング２側に向かって延出するように形成されている。カバー３が閉じられ、所定の位置にスライド移動した場合、弾性接触片３０７ａ、ｂは、ハウジング２の接地片２０６ａ、ｂに弾性接触するように構成されている。
【００２３】
さらに、左右側板３０２ａ、ｂの前方側端部には、前方側に向かって延出する係合片３０８ａ、ｂが形成されている。係合片３０８ａ、ｂの先端部には、僅かに内側に向かって突出するように折り曲げられた曲げ部３０９ａ、ｂが設けられている。曲げ部３０９ａ、ｂは、ハウジング２の側壁部２０２ａ、ｂよりも内側部分に配置されている。このため、係合片３０８ａ、ｂは、カバー３が閉じられた状態において、側壁部２０２ａ、ｂに弾性接触するように構成されている。
【００２４】
さらに、左右アーム部３０３ａ、ｂの後方側端部には、コネクタ１の内側に突出する回動軸３１０ａ、ｂが設けられている（図１において、回動軸３１０ａは不図示）。回動軸３１０ａ、ｂは、ハウジング２の凹部２１１ａ、ｂに回動可能に収容される。このように回動軸３１０ａ、ｂが凹部２１１ａ、ｂに収容されることで、カバー３は、ハウジング２に対して回動可能に構成されている。
【００２５】
本実施の形態に係るコネクタ１においては、カバー３を回動させて開いた状態とし、ハウジング２内にカードが収容される。ここで、コネクタ１のハウジング２内に収容されるカード４の構成について説明する。図３及び図４は、それぞれ本実施の形態に係るコネクタ１のハウジング２内に収容されるカード４の構成を説明するための斜視図及び上面図である。
【００２６】
図３及び図４に示すように、本実施の形態に係るコネクタ１のハウジング２内に収容されるカード４は、平板形状を有しており、その左右側縁に側壁部としてのリブ部４０１ａ、ｂが設けられている。リブ部４０１ａ、ｂにおける後方側の端部近傍には、それぞれ凹部４０２ａ、ｂが形成されている。また、リブ部４０１ｂの凹部４０２ｂより前方側には、凹部４０３が形成されている。凹部４０２ａ、ｂは、カード４がハウジング２内に収容された場合に凸壁２０５ａ、ｂに対応する位置に形成されており、凹部４０３は、突出壁２０７に対応する位置に形成されている。
【００２７】
カード４の下面であって、前方側の端部近傍には、ハウジング２に設けられた複数のコンタクト２０４ｂに接触する接触部（端子部）が、当該コンタクト２０４ｂに対応する位置に設けられている。カード４がハウジング２内に収容された場合において、これらの接触部には、それぞれのコンタクト２０４ｂの先端部が弾性接触するように構成されている。
【００２８】
なお、本実施の形態に係るコネクタ１のハウジング２に収容されるカード４としては、例えば、メモリースティック  マイクロが該当するが、これに限定されるものではない。接地片２０６ａ、ｂが設けられた凸壁２０５ａ、ｂに対応するカード４の側面部に凹部が形成されていることを条件として、任意のカードを適用することが可能である。
【００２９】
次に、このような構成を有するカード４をコネクタ１に収容する際の状態について説明する。カード４は、図５及び図６に示すように、カバー３を開いた状態でハウジング２内に収容される。図５及び図６は、本実施の形態に係るコネクタ１のハウジング２内にカード４が収容された状態の斜視図及び上面図である。ハウジング２内のカード４においては、図５及び図６に示すように、凹部４０２ａ、ｂでそれぞれ凸壁２０５ａ、ｂを収容すると共に、凹部４０３で突出壁２０７を収容した状態となっている。
【００３０】
このように凸壁２０５ａ、ｂを凹部２０５ａ、ｂで収容した状態において、凸壁２０５ａ、ｂの上面は、リブ部４０１ａ、ｂの上面よりも高い位置でカード４の最大高さよりも低い位置に配置されている。従って、凸壁２０５ａ、ｂの上面に設けられた接地片２０６ａ、ｂは、リブ部４０１ａ、ｂの上面よりも高い位置に配置されている。このように接地片２０６ａ、ｂが凹部２０５ａ、ｂを介してカード４の上面よりも上方側に突出しているので、カバー３を閉じた場合に弾性接触片３０７ａ、ｂが接地片２０６ａ、ｂに接触し易く構成されている。また、凸壁２０５ａ、ｂの上面がカード４の最大高さよりも低くなっていることから、カバー３を閉じた場合に弾性接触片３０７ａ、ｂが凸壁２０５ａ、ｂと当接してもカバー３の上方側に突出しないよう構成されている。
【００３１】
次に、コネクタ１は、図７及び図８に示すように、カバー３を回動して閉じた状態とされる。図７及び図８は、本実施の形態に係るコネクタ１において、カバー３を閉じた状態の斜視図及び上面図である。図７及び図８に示すように、カバー３を閉じる場合、カバー３は、回動軸３１０ａ、ｂをハウジング２の凹部２１１ａ、ｂの後方側端部に配置した状態で回動する。このようにカバー３が回動すると、カバー３の弾性接触片３０７ａ、ｂがハウジング２の側壁部２０２ａ、ｂの内側に配置される一方、ロック片３０４ａ、ｂ、並びに、係合片３０８ａ、ｂが側壁部２０２ａ、ｂの外側に配置される。
【００３２】
この場合において、弾性接触片３０７ａ、ｂは、凸壁２０５ａ、ｂよりも後方側の位置に配置されており、凸壁２０５ａ、ｂに到達していない状態である。従って、弾性接触片３０７ａ、ｂは、接地片２０６ａ、ｂにも接触していないため、カバー３は接地されていない状態である。また、ロック片３０４ａ、ｂは、保持片２１０ａ、ｂよりも後方側の位置に配置されており、係合片３０５ａ、ｂが保持片２１０ａ、ｂと係合していない状態である。さらに、係合片３０８ａ、ｂの先端は、切り欠き部２０８ａ、ｂに対応する位置に配置されており、曲げ部３０９ａ、ｂが切り欠き部２０８ａ、ｂに収容された状態となっている。この場合、カバー３は、ロックされておらず、スライド移動可能となっている。
【００３３】
次に、コネクタ１は、図９及び図１０に示すように、カバー３をスライド移動させてロックした状態とされる。図９及び図１０は、本実施の形態に係るコネクタ１において、カバー３をロックした状態の斜視図及び上面図である。図９及び図１０に示すように、カバー３を前方側にスライド移動する場合、カバー３の回動軸３１０ａ、ｂは、ハウジング２の凹部２１１ａ、ｂの前方側端部に移動する。この場合、カバー３は、ハウジング２内に収容されたカード４の接触部が複数のコンタクト２０４ｂと接続するように押圧した状態となる。
【００３４】
この場合において、カバー３の弾性接触片３０７ａ、ｂは、凸壁２０５ａ、ｂに到達し、その先端部が接地片２０６ａ、ｂに接触する。このため、カバー３が接地された状態となる。また、ロック片３０４ａ、ｂは、保持片２１０ａ、ｂに到達し、係合片３０５ａ、ｂが保持片２１０ａ、ｂと係合した状態となる。さらに、係合片３０８ａ、ｂの先端は、切り欠き部２０８ａ、ｂから出て凹部２０９ａ、ｂに到達し、当該凹部２０９ａ、ｂと係合した状態となる。これにより、カバー３は、ロックされた状態とされる。
【００３５】
このようにカバー３を回動させた後、スライド移動させるだけでカバー３をロックすることができるので、カバー３をロックするための特別な構成を必要とすることなく、保持片２１０ａ、ｂだけで簡単にロックすることが可能となる。また、カバー３を回動可能な構成とするだけでなく、スライド移動可能な構成とすることで、不用意にカバー３とハウジング２との保持が解除されることを防止することが可能となる。
【００３６】
このようにしてカード４がコネクタ１内に収容されることとなる。なお、コネクタ１内に収容されたカード４を取り出す場合には、ロック片３０４ａ、ｂの係合片３０５ａ、ｂと保持片２１０ａ、ｂとの係合を解除すべくカバー３を僅かに下方側に押し下げた後、後方側にスライド移動させる。そして、カバー３の前方側端部を上方側に回動させてハウジング２を開いた状態とする。この状態からカード４が上方側に取り出される。
【００３７】
このように本実施の形態に係るコネクタ１において、ハウジング２は、カード４が有する凹部４０２ａ、ｂに対応する位置に設けられ、その表面に接地片２０６ａ、ｂが露出して設けられた凸壁２０５ａ、ｂを有し、カバー３は、接地片２０６ａ、ｂと接触する弾性接触片３０７ａ、ｂを有している。そして、カバー３が回動して所定位置に移動した場合に、弾性接触片３０７ａ、ｂと接地片２０６ａ、ｂとが接触するようにカード４を押圧する。このように接地片２０６ａ、ｂを、カード４が有する凹部４０２ａ、ｂに対応する位置に設けられた凸壁２０５ａ、ｂに設けたことから、ハウジング２の側壁部２０２ａ、ｂの厚みを軽減することができるので、カバー３の接地を行いつつ、コネクタ１の幅方向の小型化を図ることが可能となる。
【００３８】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００３９】
例えば、上記実施の形態においては、凸壁２０５ａ、ｂの表面に設けられた接地片２０６ａ、ｂと接触する弾性接触片３０７ａ、ｂを備える場合について説明している。しかしながら、接地片２０６ａ、ｂと接触する構成については、これに限定されるものではなく適宜変更が可能である。例えば、天板３０１の下面に形成された突起部であっても良い。この場合には、接地片２０６ａ、ｂとの確実な接触を確保するため、凸壁２０５ａ、ｂ側にカバー３を付勢する構成を備えることが好ましい。
【図面の簡単な説明】
【００４０】
【図１】本発明の一実施の形態に係るカード用コネクタの構成を説明するための斜視図である。
【図２】図１に示す状態のカード用コネクタの上面図である。
【図３】上記実施の形態に係るカード用コネクタのハウジングに収容されるカードの構成を説明するための斜視図である。
【図４】上記実施の形態に係るカード用コネクタのハウジングに収容されるカードの構成を説明するための上面図である。
【図５】上記実施の形態に係るカード用コネクタのハウジング内にカードが収容された状態の斜視図である。
【図６】上記実施の形態に係るカード用コネクタのハウジング内にカードが収容された状態の上面図である。
【図７】上記実施の形態に係るカード用コネクタにおいて、カバーを閉じた状態の斜視図である。
【図８】上記実施の形態に係るカード用コネクタにおいて、カバーを閉じた状態の上面図である。
【図９】上記実施の形態に係るカード用コネクタにおいて、カバーをロックした状態の斜視図である。
【図１０】上記実施の形態に係るカード用コネクタにおいて、カバーをロックした状態の上面図である。
【符号の説明】
【００４１】
１  カード用コネクタ（コネクタ）
２  ハウジング
２０１  ベース部
２０２ａ、ｂ  側壁部
２０３ａ、ｂ  開口部
２０４ａ、ｂ  コンタクト
２０５ａ、ｂ  凸壁
２０６ａ、ｂ  接地片
２０７  突出壁
２０８ａ、ｂ  切り欠き部
２０９ａ、ｂ  凹部
２１０ａ、ｂ  保持片
２１１ａ、ｂ  凹部
３  カバー
３０１  天板
３０２ａ、ｂ  左右側板
３０３ａ、ｂ  左右アーム部
３０４ａ、ｂ  ロック片
３０５ａ、ｂ  係合片
３０６ａ、ｂ  切り欠き部
３０７ａ、ｂ  弾性接触片
３０８ａ、ｂ  係合片
３０９ａ、ｂ  曲げ部
３１０ａ、ｂ  回動軸
４  カード
４０１ａ、ｂ  リブ部
４０２ａ、ｂ  凹部
４０３  凹部
【図１】
2009087678.tif 000003
【図２】
2009087678.tif 000004
【図３】
2009087678.tif 000005
【図４】
2009087678.tif 000006
【図５】
2009087678.tif 000007
【図６】
2009087678.tif 000008
【図７】
2009087678.tif 000009
【図８】
2009087678.tif 000010
【図９】
2009087678.tif 000011
【図１０】
2009087678.tif 000012